(57)【要約】      （修正有）【課題】排気延長管内に生ずるドレンを流入させるドレン皿を備える強制給排気式暖房器において、熱交換効率を可及的に向上できると共に、弱燃焼時にドレン皿からドレンがオーバーフローすることを排気延長管の長さを短縮せずに防止できるようにする。【解決手段】外ケース１内に、主熱交換器６の配置部を経由して送風口１２に至る第１通風路と、主熱交換器６の配置部を経由せずに副熱交換器６´の配置部を経由して送風口１２に至る第２通風路とが画成される。第１通風路への通風を遮断自在な第１ダンパ２０と、第２通風路への通風を遮断自在な第２ダンパ２１との少なくとも一方を備え、弱燃焼時には、第１通風路または第２通風路への通風を遮断する。これにより、排気延長管１９に流れる燃焼ガスの温度が過度に低くなることを防止し、ドレン皿１８からのドレンのオーバーフローを防止できる。【選択図】図４
2010019428.tif 000002
【特許請求の範囲】
【請求項１】
外ケースと、外ケース内に設けた、バーナを内蔵する燃焼筐と、燃焼筐内に燃焼用空気を供給する給気経路と燃焼筐から燃焼ガスを排気する排気経路との一方に介設された強制給排気用の燃焼ファンと、外ケース内に設けた、排気経路に介設される上流側の主熱交換器及び下流側の副熱交換器と、外ケースに開設した空気取入れ口及び送風口と、室内空気を空気取入れ口から吸い込み、主熱交換器及び副熱交換器の配置部を経由して送風口から室内に送風する外ケース内の温風ファンとを備える強制給排気式暖房器であって、
外ケース内に、排気経路の下流端に接続する排気延長管内に生ずるドレンを流入させるドレン皿が設けられるものにおいて、
外ケース内に、主熱交換器の配置部を経由して送風口に至る第１通風路と、主熱交換器の配置部を経由せずに副熱交換器の配置部を経由して送風口に至る第２通風路とが画成され、
温風ファンによる第１通風路への室内空気の通風を遮断自在な第１ダンパと、温風ファンによる第２通風路への室内空気の通風を遮断自在な第２ダンパとの少なくとも一方を備え、
バーナの燃焼量が所定量以下になる弱燃焼時には、第１通風路または第２通風路への室内空気の通風を遮断することを特徴とする強制給排気式暖房器。
【請求項２】
前記第１ダンパと前記第２ダンパとの両者を備え、設定暖房温度と室温との偏差に応じて前記バーナの燃焼量を可変する温調運転時に、バーナの燃焼量が所定の下限燃焼量に低下したとき、設定暖房温度と室温との偏差が所定値以上であれば、第１通風路に室内空気を通風して第２通風路への室内空気の通風を遮断し、この偏差が所定値未満であれば、第２通風路に室内空気を通風して第１通風路への室内空気の通風を遮断することを特徴とする請求項１記載の強制給排気式暖房器。
【請求項３】
請求項１又は２記載の強制給排気式暖房器であって、室温が設定暖房温度より高く設定される所定の上限温度を上回ったとき、前記バーナの燃焼を停止した状態で前記温風ファンを低速回転させる温調ＯＦＦ運転を行うものにおいて、
温調ＯＦＦ運転時に、前記第１通風路または前記第２通風路への室内空気の通風を遮断することを特徴とする強制給排気式暖房器。
【請求項４】
請求項３記載の強制給排気式暖房器であって、前記第１ダンパと前記第２ダンパとの両者を備え、前記第１通風路は前記燃焼筐の外面に沿うように形成されるものにおいて、
前記温調ＯＦＦ運転時に、燃焼筐の温度が所定温度以上であれば、第１通風路に室内空気を通風して第２通風路への室内空気の通風を遮断し、燃焼筐の温度が所定温度未満であれば、第２通風路に室内空気を通風して第１通風路への室内空気の通風を遮断することを特徴とする強制給排気式暖房器。
【発明の詳細な説明】
【技術分野】
【０００１】
本発明は、外ケースと、外ケース内に設けた、バーナを内蔵する燃焼筐と、燃焼筐内に燃焼用空気を供給する給気経路と燃焼筐から燃焼ガスを排気する排気経路との一方に介設された強制給排気用の燃焼ファンとを備える強制給排気式暖房器に関する。
【背景技術】
【０００２】
従来、この種の暖房器として、特許文献１により、外ケース内に設けた、排気経路に介設される上流側の主熱交換器及び下流側の副熱交換器と、外ケースに開設した空気取入れ口及び送風口と、室内空気を空気取入れ口から吸い込み、主熱交換器及び副熱交換器の配置部を経由して送風口から室内に送風する外ケース内の温風ファンとを備えるものが知られている。
【０００３】
特許文献１記載のものでは、主熱交換器の後側に副熱交換器を配置し、温風ファンにより室内空気が主熱交換器の前側の通風路及び後側の通風路を経由して送風口に流れるようにし、後側の通風路に流れる室内空気が主熱交換器で加熱されると共に副熱交換器により加熱されるようにしている。また、このものでは、後側の通風路への室内空気の通風を遮断自在なダンパを設け、排気経路の下流端に接続する排気延長管の長さが短い場合は、前側と後側の両通風路に室内空気を通風し、排気延長管の長さが長い場合には、後側の通風路への室内空気の通風を遮断している。これは、排気延長管が室内に長く設置されている場合、排気延長管からの放熱も室内の暖房に寄与することから、暖房器自体での熱交換効率を低くして、排気延長管に流れる燃焼ガスの温度を高くするためである。
【０００４】
ところで、最近は地球温暖化対策として、暖房器においても一層の高効率化が求められている。ここで、上記従来例において、排気延長管の長さが長い場合にも、前側と後側の両通風路に室内空気を通風した方が熱交換効率が向上する。従って、高効率化のためには、排気延長管の長さに関わりなく、前側と後側の両通風路に室内空気を通風した方が有利である。
【０００５】
然し、上記従来例のものでは、主熱交換器の後側の通風路に流れる室内空気が主熱交換器により加熱された状態で副熱交換器により加熱されることになる。そのため、副熱交換器での熱交換効率は然程良くならない。
【０００６】
また、外ケース内に、排気延長管内に生ずるドレンを流入させるドレン皿を設け、熱交換器で加熱された室内空気（温風）をドレン皿の配置部に流して、ドレン皿内のドレンを蒸発させることがある。この場合、熱交換効率を高くすると、以下の問題を生ずる。即ち、弱燃焼時に、排気延長管に流れる燃焼ガスの温度が過度に低くなって、ドレンの発生量が蒸発量を上回り、ドレンがドレン皿からオーバーフローしてしまう。ドレン皿からのオーバーフローを防止するには、排気延長管の長さを短縮して、ドレンの発生量を低減することが必要になる。その結果、暖房器の設置場所が制限されてしまう。
【特許文献１】実開昭５５−９４６７号公報
【発明の開示】
【発明が解決しようとする課題】
【０００７】
本発明は、以上の点に鑑み、熱交換効率を可及的に向上できると共に、弱燃焼時にドレン皿からドレンがオーバーフローすることを排気延長管の長さを短縮せずに防止できるようにした強制給排気式暖房器を提供することをその課題としている。
【課題を解決するための手段】
【０００８】
上記課題を解決するために、本発明は、外ケースと、外ケース内に設けた、バーナを内蔵する燃焼筐と、燃焼筐内に燃焼用空気を供給する給気経路と燃焼筐から燃焼ガスを排気する排気経路との一方に介設された強制給排気用の燃焼ファンと、外ケース内に設けた、排気経路に介設される上流側の主熱交換器及び下流側の副熱交換器と、外ケースに開設した空気取入れ口及び送風口と、室内空気を空気取入れ口から吸い込み、主熱交換器及び副熱交換器の配置部を経由して送風口から室内に送風する外ケース内の温風ファンとを備える強制給排気式暖房器であって、外ケース内に、排気経路の下流端に接続する排気延長管内に生ずるドレンを流入させるドレン皿が設けられるものにおいて、外ケース内に、主熱交換器の配置部を経由して送風口に至る第１通風路と、主熱交換器の配置部を経由せずに副熱交換器の配置部を経由して送風口に至る第２通風路とが画成され、温風ファンによる第１通風路への室内空気の通風を遮断自在な第１ダンパと、温風ファンによる第２通風路への室内空気の通風を遮断自在な第２ダンパとの少なくとも一方を備え、バーナの燃焼量が所定量以下になる弱燃焼時には、第１通風路または第２通風路への室内空気の通風を遮断することを特徴とする。
【０００９】
本発明によれば、第１通風路に通風される室内空気が主熱交換器で加熱されると共に、第２通風路に通風される室内空気が副熱交換器で加熱される。ここで、第２通風路に通風される室内空気は、主熱交換器で加熱されずに低温のまま副熱交換器の配置部に流れるから、副熱交換器で効率良く加熱される。従って、暖房器全体の熱交換効率が可及的に向上する。
【００１０】
また、弱燃焼時は、第１通風路または第２通風路への室内空気の通風が遮断されるため、熱交換効率が低下し、排気延長管に流れる燃焼ガスの温度が過度に低くなることが防止される。従って、弱燃焼時にドレンの発生量が蒸発量を上回って、ドレン皿からドレンがオーバーフローすることを、排気延長管の長さを短縮せずに有効に防止できる。
【００１１】
また、本発明においては、第１ダンパと第２ダンパとの両者を備え、設定暖房温度と室温との偏差に応じてバーナの燃焼量を可変する温調運転時に、バーナの燃焼量が所定の下限燃焼量に低下したとき、設定暖房温度と室温との偏差が所定値以上であれば、第１通風路に室内空気を通風して第２通風路への室内空気の通風を遮断し、この偏差が所定値未満であれば、第２通風路に室内空気を通風して第１通風路への室内空気の通風を遮断することが望ましい。
【００１２】
これによれば、設定暖房温度と室温との偏差が所定値以上のときは、室内空気が主熱交換器のみで加熱されることになり、室温を設定暖房温度まで早期に上昇させるのに必要な加熱量を維持しつつ、排気延長管に流れる燃焼ガスの温度が過度に低くなることを防止できる。また、設定暖房温度と室温との偏差が所定値未満のときは、室内空気が副熱交換器のみで加熱されることになり、加熱量が減少して、室温が設定暖房温度を上回る温度までオーバーシュートすることが抑制され、温調性能が向上する。
【００１３】
ところで、暖房負荷が低い場合には、バーナを下限燃焼量で燃焼させても、室温が上昇し続けてしまうことがある。そこで、室温が設定暖房温度より高く設定される所定の上限温度を上回ったときは、バーナの燃焼を停止した状態で温風ファンを低速回転させる温調ＯＦＦ運転を行うことがある。温調ＯＦＦ運転時に温風ファンを停止しないのは、室内の上下温度差をできるだけ少なくするためである。
【００１４】
ここで、温調ＯＦＦ運転開始時は、暖房器内の蓄熱のため送風口から温風が出るが、時間の経過に伴って暖房器内の熱が放熱されて、送風口からの送風温度が低下し、冷風感を感じ始める。この場合、温調ＯＦＦ運転時に、第１通風路または第２通風路への室内空気の通風を遮断すれば、暖房器内の熱の放熱がゆっくりと行われ、冷風感を感じ始める時期を遅らせることができる。
【００１５】
また、第１通風路が燃焼筐の外面に沿うように形成されている場合は、温調ＯＦＦ運転時に、燃焼筐の温度が所定温度以上であれば、第１通風路に室内空気を通風して第２通風路への室内空気の通風を遮断し、燃焼筐の温度が所定温度未満であれば、第２通風路に室内空気を通風して第１通風路への室内空気の通風を遮断することが望ましい。これによれば、燃焼筐の温度が所定温度以上のときは、主熱交換器及び燃焼筐からの放熱が行われ、この放熱により燃焼筐の温度が低下して所定温度未満になったところで、副熱交換器からの放熱が行われて、冷風感を感じ始める時期を可及的に遅らせることができる。
【発明を実施するための最良の形態】
【００１６】
以下、暖炉型の暖房器に本発明を適用した実施形態について説明する。この暖房器は、図１乃至図４に示す如く、外ケース１と、外ケース１内に設けた燃焼筐２とを備えている。外ケース１は、底板部１ａと、左右の側板部１ｂと、背板部１ｃと、上板部１ｄと、前面パネル１ｅと、背板部１ｃの背面の一側寄りの部分に取付けられる第１エクステンションケース１ｆと、背板部１ｃの背面の他側の半部から第１エクステンションケース１ｆの上方に亘って取付けられる第２エクステンションケース１ｇとで構成されている。
【００１７】
燃焼筐２内の下部には、バーナ３と、バーナ３に点火するための口火バーナ３ａとが配置されている。また、燃焼筐２内に、バーナ３の上端部を嵌合させる開口を形成したバーナ支持板２ａを配置し、バーナ支持板２ａ上に、セラミックス等の耐火材で形成された擬似薪４を配置している。そして、燃焼筐２の前面にガラス板２ｂを装着すると共に、外ケース１の前面パネル１ｅに、ガラス板２ｂを臨ませる窓部１ｈを開設している。かくして、前面パネル１ｅの前方から燃焼筐２内を目視できるようになり、バーナ３を燃焼させたときに、恰も擬似薪４が燃えているような視覚的印象を与えることができる。
【００１８】
尚、前面パネル１ｅを、その窓部１ｈの周縁部が燃焼筐２の前面周縁部に密着するように形成することも可能であるが、本実施形態では、窓部１ｈが燃焼筐２の前方に若干離れるように前面パネル１ｅを配置し、窓部１ｈに窓ガラス１ｉを装着している。また、燃焼筐２の前面の上記したガラス板２ｂは、燃焼筐２の本体前面に開閉自在に設けた前面扉２ｃに装着されており、前面扉２ｃを開いた状態で燃焼筐２内のバーナ３のメンテナンスを行うことができるようにしている。この前面扉２ｃは、その下端部において燃焼筐２に前後方向に傾動自在に支持され、燃焼筐２の上壁部２ｄ上に配置した付勢手段２ｅにより後方に付勢されて、燃焼筐２の本体前面に密着する。燃焼筐２の上壁部２ｄには、付勢手段２ｅを上方から覆うカバー２ｆが設けられている。
【００１９】
また、燃焼筐２の底面には、給気経路を構成する給気ダクト５が接続されている。給気ダクト５には、図示省略した給気延長管を介して屋外の空気が供給される。そして、後述する燃焼ファン７の吸引力により屋外の空気が給気ダクト５を介して燃焼筐２内に強制的に供給されるようにしている。
【００２０】
また、外ケース１内には、燃焼筐２の後側に位置させて、燃焼筐２からの燃焼ガスを排気する排気経路に介設される主熱交換器６が配置されている。主熱交換器６は、連通管６ａを介して燃焼筐２に接続されている。また、排気経路には、第１エクステンションケース１ｆ内に配置した強制給排気用の燃焼ファン７が介設されている。そして、主熱交換器６の下流側に燃焼ファン７を介して接続される排気ダクト８を、外ケース１の横方向一側の側板部１ｂと燃焼筐２との間の側部空間において外ケース１内に挿入している。
【００２１】
また、外ケース１内の下部の横方向一側には、制御基板９が配置され、外ケース１の横方向他側の側板部１ｂと燃焼筐２との間の側部空間には、バーナ３用のバルブユニット１０が配置されている。
【００２２】
外ケース１の前面パネル１ｅには、下部に空気取入れ口１１が開設され、上部に送風口１２が開設されている。そして、外ケース１内に、室内空気を空気取入れ口１１から吸込み、主熱交換器６の配置部を経由して送風口１２から室内に送風する温風ファン１３を配置し、温風暖房機能を得られるようにしている。
【００２３】
温風ファン１３は、燃焼筐２の下方空間に設置した横長のファンボックス１４内に配置されている。ファンボックス１４は横方向両側部が開口されている。そして、図２に示す如く、空気取入れ口１１からの空気の一部を制御基板９の配置部と燃焼ファン７のファンモータ７ａの配置部とを経由してファンボックス１４の横方向一側の開口部に導く導風路１５を設けている。導風路１５は、制御基板９の配置部を横方向内方から上方に亘って囲う第１空気ガイド板１５ａと、外ケース１の背板部１ｃに第１空気ガイド板１５ａで囲われる部分に臨むように形成した第１通気口１５ｂと、第１通気口１５ｂからの空気をファンモータ７ａの配置部に導く第１エクステンションケース１ｆ内の第２空気ガイド板１５ｃと、外ケース１の背板部１ｃに第１空気ガイド板１５ａより上方に位置させて形成した第２通気口１５ｄとで構成されている。そして、第２通気口１５ｄから外ケース１内に還流した空気が第１空気ガイド板１５ａと燃焼筐２の横方向一側の側壁部との間の隙間を介してファンボックス１４の横方向一側の開口部に導かれるようにしている。
【００２４】
尚、温風ファン１３は、横方向に間隔を存して一対に設けられている。そして、両温風ファン１３，１３間に両温風ファン１３，１３を駆動する共通のファンモータ１３ａを配置している。
【００２５】
温風ファン１３から吹出す室内空気は、主熱交換器６の配置部と、外ケース１の上板部１ｄと燃焼筐２の上壁部２ｄとの間の空間とを経由して送風口１２に導かれる。そして、室内空気が主熱交換器６で燃焼ガスと熱交換して加熱され、送風口１２から温風となって室内に送風される。送風口１２には、斜め下向きに傾斜したルーバー１２ａが装着されている。そのため、暖房器の前方に置いたソファ等に腰掛けて暖を取るユーザの顔に温風が当たることはない。
【００２６】
ここで、外ケース１の上板部１ｄと燃焼筐２の上壁部２ｄとの間の空間は、仕切り板１６により上室１６ａと下室１６ｂとの上下２室に仕切られている。そして、主熱交換器６の配置部を経由した室内空気を下室１６ｂを介して送風口１２に導くようにしている。即ち、主熱交換器６を配置した燃焼筐２の背面と背板部１ｃとの間の空間と下室１６ｂとで本発明の第１通風路が構成される。そして、第１通風路は燃焼筐２の外面に沿うように形成されることになる。
【００２７】
上室１６ａには、排気経路に主熱交換器６の下流側に位置させて介設した副熱交換器６´が配置されている。尚、副熱交換器６´は、排気ダクト８を横方向にＵ字状に蛇行させて構成している。また、外ケース１の背板部１ｃに、温風ファン１３から吹出す室内空気の一部を分流板１７を介して第２エクステンションケース１ｇ内に流入させる下部の開口部１ｊを形成すると共に、第２エクステンション１ｇ内の空間を上室１６ａに連通する上部の開口部１ｋを形成している。かくして、温風ファン１３から吹出す室内空気の一部が、主熱交換器６の配置部を経由せずに、第２エクステンションケース１ｇ内と上室１６ａとを介して送風口１２に導かれる。即ち、第２エクステンションケース１ｇと、副熱交換器６´を配置した上室１６ａとで本発明の第２通風路が構成される。
【００２８】
また、燃焼筐２の上壁部２ｄの上面にはドレン皿１８が配置されている。そして、副熱交換器６´の最下部となる排気ダクト８の部分に、ドレン皿１８内に臨むドレンパイプ１８ａを分岐接続している。排気ダクト８の下流端（排気経路の下流端）には、燃焼ガスを屋外に排出するための排気延長管１９（図２参照）が接続される。排気延長管１９内で生じたドレンは排気ダクト８まで流下し、ドレンパイプ１８ａを介してドレン皿１８に流入する。
【００２９】
また、本実施形態では、燃焼筐２の背面下端部と分流板１７との間の隙間に位置させて、温風ファン１３による第１通風路への室内空気の通風を遮断自在な第１ダンパ２０を設けると共に、背板部１ｃの下部開口部１ｊに位置させて、温風ファン１３による第２通風路への室内空気の通風を遮断自在な第２ダンパ２１とを設けている。
【００３０】
次に、設定暖房温度と室温との偏差に応じて燃焼速数（バーナ３の燃焼量を表す数）を可変する温調運転時の制御を図５を参照して説明する。尚、燃焼速数は上限の７速と下限の１速との間で可変自在であり、温風ファン速数（温風ファン１３の回転速度を表す数）は最高速の４速と最低速の１速との間で可変自在である。また、燃焼ファン７の回転速度は燃焼速数に応じて可変される。
【００３１】
設定暖房温度と室温との偏差が大きく、燃焼速数が５速以上になるときは（ＳＴＥＰ１）、温風ファン速数を４速にすると共に、第１と第２の両ダンパ２０，２１を開いて、第１と第２の両通風路に室内空気を通風する（ＳＴＥＰ２）。そのため、第１通風路に通風される室内空気が主熱交換器６で加熱され、第２通風路に通風される室内空気が副熱交換器６´で加熱される。ここで、第２通風路に通風される室内空気は、主熱交換器６で加熱されずに低温のまま副熱交換器６´の配置部に流れるから、副熱交換器６´で効率良く加熱される。従って、暖房器全体の熱交換効率が可及的に向上する。また、燃焼速数が４速以下で２速以上であるときは（ＳＴＥＰ３）、第１と第２の両ダンパ２０，２１を開いたまま、温風ファン速数を３速にする（ＳＴＥＰ４）。
【００３２】
燃焼速数が１速になったときは、設定暖房温度と空気取入れ口１１の近傍に配置した温度センサ（図示せず）で検出される室温との偏差が所定値ＹＴ１未満であるか否かを判別する（ＳＴＥＰ５）。そして、偏差がＹＴ１以上であれば、温風ファン速数を２速にし、第１ダンパ２０を開いたまま、第２ダンパ２１を図４に仮想線で示す如く閉じて、第２通風路への室内空気の通風を遮断する（ＳＴＥＰ６）。また、偏差がＹＴ１未満であれば、温風ファン速数を２速に維持したまま、第２ダンパ２１を開いて第２通風路に室内空気を通風すると共に、第１ダンパ２０を図４に仮想線で示す如く閉じて、第１通風路への室内空気の通風を遮断する（ＳＴＥＰ７）。
【００３３】
ここで、燃焼速数が１速になった状態で第１と第２の両通風路に室内空気を通風すると、排気延長管１９に流れる燃焼ガスの温度が過度に低くなり、ドレンの発生量が多くなる。そして、ドレン皿１８からのドレンのオーバーフローを防止するには、排気延長管１９の長さを短縮せざるを得なくなる。これに対し、本実施形態では、燃焼速数が１速になったとき、設定暖房温度と室温との偏差がＹＴ１以上であれば、上記の如く第２通風路への通風が遮断されて、室内空気が主熱交換器６のみで加熱されることになる。従って、室温を設定暖房温度まで早期に上昇させるのに必要な加熱量を維持しつつ、排気延長管１９に流れる燃焼ガスの温度が過度に低くなることを防止できる。その結果、排気延長管１９が比較的長くても、ドレン皿１８からのドレンのオーバーフローを防止できる。また、設定暖房温度と室温との偏差がＹＴ１未満のときは、室内空気が副熱交換器６´のみで加熱されることになり、加熱量が減少する。そのため、室温が設定暖房温度を上回る温度までオーバーシュートすることが抑制され、温調性能が向上する。
【００３４】
ところで、暖房負荷が低い場合には、燃焼速数を１速にしても、室温が上昇し続けてしまうことがある。そこで、室温が設定暖房温度より高く設定される所定の上限温度（例えば、設定暖房温度＋３℃）を上回ったときは、温調ＯＦＦ運転を行う。温調ＯＦＦ運転では、図６に示す如く、口火バーナ３ａのみを燃焼させてバーナ３の燃焼を停止し、温風ファン速数を１速にする（ＳＴＥＰ１００）。
【００３５】
ここで、温調ＯＦＦ運転開始時は、暖房器内の蓄熱のため送風口１２から温風が出るが、時間の経過に伴って暖房器内の熱が放熱されて、送風口１２からの送風温度が低下し、冷風感を感じ始める。この場合、温調ＯＦＦ運転時に、第１通風路または第２通風路への室内空気の通風を遮断すれば、暖房器内の熱の放熱がゆっくりと行われ、冷風感を感じ始める時期を遅らせることができる。
【００３６】
そこで、本実施形態では、温調ＯＦＦ運転時に、燃焼筐２の温度（例えば、燃焼部２の上壁部２ｄに取付けた温度センサ（図示せず）で検出される温度）が所定温度ＹＴ２未満であるか否かを判別し（ＳＴＥＰ１０１）、燃焼筐２の温度がＹＴ２以上であれば、第１ダンパ２０を開くと共に第２ダンパ２１を閉じ（ＳＴＥＰ１０２）、燃焼筐２の温度がＹＴ２未満であれば、第１ダンパ２０を閉じると共に第２ダンパ２１を開くようにしている（ＳＴＥＰ１０３）。
【００３７】
これによれば、燃焼筐２の温度がＹＴ２以上のときは、第１通風路のみに室内空気が通風されて、主熱交換器６から放熱されると共に第１通風路に面する燃焼筐２からの放熱が行われる。そして、この放熱により燃焼筐２の温度が低下してＹＴ２未満になったところで、第２通風路のみに室内空気が通風され、副熱交換器６´からの放熱が行われる。そのため、冷風感を感じ始める時期を可及的に遅らせることができる。
【００３８】
以上、本発明の実施形態について図面を参照して説明したが、本発明はこれに限定されない。例えば、上記実施形態では、第１ダンパ２０と第２ダンパ２１とを設けたが、両ダンパ２０，２１の一方を省略することも可能である。また、上記実施形態では、燃焼ファン７を排気経路に介設したが、給気経路に燃焼ファンを介設することも可能である。
【００３９】
更に、上記実施形態では、外ケース１の前面パネル１ｅの上部に送風口１２を開設し、燃焼筐２の下方に温風ファン１３を配置したが、前面パネル１ｅの下部に送風口１２を開設して、燃焼筐２の上方に温風ファン１３を配置しても良い。この場合、第２エクステンションケース１ｇ内に副熱交換器６´を配置し、燃焼筐２の下方にドレン皿１８を配置すればよい。また、上記実施形態は、前面パネル１ｅの前方から燃焼筐２内を目視可能とした暖炉型の強制給排気式暖房器に本発明を適用したものであるが、燃焼筐２内を目視不能とした強制給排気式暖房器にも同様に本発明を適用できる。
【図面の簡単な説明】
【００４０】
【図１】本発明の実施形態の暖房機の右斜め前上方から見た斜視図。
【図２】実施形態の暖房機の左斜め後上方から見た斜視図。
【図３】実施形態の暖房機の前面パネルと燃焼筐の前面扉を取外した状態の正面図。
【図４】図３のＩＶ−ＩＶ線で切断した断面図。
【図５】温調運転時の制御を示すフロー図。
【図６】温調ＯＦＦ運転時の制御を示すフロー図。
【符号の説明】
【００４１】
１…外ケース、１ｇ…第２エクステンションケース（第２通風路）、２…燃焼筐、３…バーナ、６…主熱交換器、６´…副熱交換器、７…燃焼ファン、１１…空気取入れ口、１２…送風口、１３…温風ファン、１６ａ…上室（第２通風路）、１６ｂ…下室（第１通風路）、１８…ドレン皿、１８ａ…ドレンパイプ、１９…排気延長管、２０…第１ダンパ、２１…第２ダンパ。
【図１】
2010019428.tif 000003
【図２】
2010019428.tif 000004
【図３】
2010019428.tif 000005
【図４】
2010019428.tif 000006
【図５】
2010019428.tif 000007
【図６】
2010019428.tif 000008